(57)【要約】【課題】ボールチャック式マンドレルのボールの交換を簡便化する。【解決手段】ボールチャック式マンドレル（１）のボール取付孔（１２）にボール（１３）を取り付けるボールチャック式マンドレル用治具（３）は、複数のボール（１３）を収容可能な収容部（４１）の底部に貫通孔（４２）が形成されているケーシング（４）と、貫通孔（４２）を塞ぐ蓋部材（５３）と、を備え、蓋部材（５３）は、収容部（４１）に収容されているボール（１３）を上面側開口部及びボール通路を介して側面側開口部から排出可能に構成され、且つ、側面側開口部と貫通孔（４２）の内周面とが対向し、側面側開口部が塞がれた閉鎖位置と、側面側開口部が、当該治具（３）が所定の設置位置にあるときのボール取付孔（１２）の高さ位置まで下げられたボール取付位置と、に上下動可能である。【選択図】図７
2018051680.tif 000002
【特許請求の範囲】
【請求項１】
径方向に開孔するボール取付孔が周方向に複数設けられた円筒状の支持部を備えるボールチャック式マンドレルの前記ボール取付孔にボールを取り付けるボールチャック式マンドレル用治具であって、
複数の前記ボールを収容可能な収容部を備え、前記収容部の底部には、当該治具が所定の設置位置において前記ボールチャック式マンドレルに対して設置されたときに前記円筒状の支持部と連通状態となる貫通孔が形成されているケーシングと、
前記貫通孔との間に形成される隙間が少なくとも前記ボールの径以下の幅となる状態で前記貫通孔を塞ぐ蓋部材と、を備え、
前記蓋部材は、
上面に向かって開口する上面側開口部と、側面に向かって開口する側面側開口部と、前記上面側開口部と前記側面側開口部との間に形成されるボール通路と、を備え、前記収容部に収容されている前記ボールを前記上面側開口部及び前記ボール通路を介して前記側面側開口部から排出可能に構成され、且つ、
前記側面側開口部と前記貫通孔の内周面とが対向し、前記側面側開口部が塞がれた閉鎖位置と、前記側面側開口部が、当該治具が前記所定の設置位置にあるときの前記ボール取付孔の高さ位置まで下げられたボール取付位置と、に上下動可能であるボールチャック式マンドレル用治具。
【請求項２】
前記蓋部材は、高さ方向を回転軸として回転可能であり、
前記蓋部材を回転させる操作部を備える請求項１に記載のボールチャック式マンドレル用治具。
【請求項３】
前記側面側開口部は、少なくとも回転方向に対する後ろ側の縁部がテーパー状になっている請求項２に記載のボールチャック式マンドレル用治具。
【請求項４】
前記ボール通路及び前記側面側開口部は、前記ボール取付位置にある前記蓋部材の前記側面側開口部といずれかの前記ボール取付孔とが対向する状態にあるときに、前記ボール通路と前記ボール取付孔とが面一となる形状で形成されている請求項１〜３のいずれか一項に記載のボールチャック式マンドレル用治具。
【請求項５】
前記蓋部材には、前記上面側開口部に前記ボールを案内する案内機構が設けられている請求項１〜４のいずれか一項に記載のボールチャック式マンドレル用治具。
【請求項６】
前記収容部は前記貫通孔を中心とする略すり鉢状に形成されている請求項１〜５のいずれか一項に記載のボールチャック式マンドレル用治具。
【請求項７】
ブロー成形機に用いるボールチャック式マンドレルを対象とする請求項１〜６のいずれか一項に記載のボールチャック式マンドレル用治具。
【請求項８】
前記ケーシングは、前記収容部の下方に設けられ、前記所定の設置位置において当該治具を前記ボールチャック式マンドレルに取付可能な取付部を備える請求項１〜７のいずれか一項に記載のボールチャック式マンドレル用治具。
【請求項９】
請求項８に記載のボールチャック式マンドレル用治具と、
前記ボールチャック式マンドレルを取り付ける取付溝、及び、前記取付溝に取り付けられた前記ボールチャック式マンドレルに対して前記ボールチャック式マンドレル用治具を取り付けたときに前記取付部を支持する支持面を備える補助台と、を備えるボールチャック式マンドレル用治具セット。
【発明の詳細な説明】
【技術分野】
【０００１】
本発明は、径方向に開孔するボール取付孔が周方向に複数設けられた円筒状の支持部を備えるボールチャック式マンドレルの前記ボール取付孔にボールを取り付けるボールチャック式マンドレル用治具、及び、ボールチャック式マンドレル用治具を含むボールチャック式マンドレル用治具セットに関する。
【背景技術】
【０００２】
図１に示すようなこの種のボールチャック式マンドレル１は、支持部１１の外周側に容器や装置等の作業対象物を装着し、ボール取付孔１２に取り付けたボール１３に対して支持部の外周側に向かう圧力を加える等によりボール１３を作業対象物に押しつけて、作業対象物に加えられるボール１３の押圧力により作業対象物を把持するようになっている。
【０００３】
そして、この種のボールチャック式マンドレル１では、ある程度使用するとボール１３が摩耗してしまうので、定期的にボール１３を交換する必要がある。しかし、一個一個手作業でボール１３の交換を行うのは手間であり、時間を要するものであった。
【発明の概要】
【発明が解決しようとする課題】
【０００４】
そこで、ボールチャック式マンドレルのボールの交換を容易に行うことのできるボールチャック式マンドレル用治具及びボールチャック式マンドレル用治具セットの実現が望まれる。
【課題を解決するための手段】
【０００５】
本発明に係るボールチャック式マンドレル用治具は、
径方向に開孔するボール取付孔が周方向に複数設けられた円筒状の支持部を備えるボールチャック式マンドレルの前記ボール取付孔にボールを取り付けるボールチャック式マンドレル用治具であって、
複数の前記ボールを収容可能な収容部を備え、前記収容部の底部には、当該治具が所定の設置位置において前記ボールチャック式マンドレルに対して設置されたときに前記円筒状の支持部と連通状態となる貫通孔が形成されているケーシングと、
前記貫通孔との間に形成される隙間が少なくとも前記ボールの径以下の幅となる状態で前記貫通孔を塞ぐ蓋部材と、を備え、
前記蓋部材は、
上面に向かって開口する上面側開口部と、側面に向かって開口する側面側開口部と、前記上面側開口部と前記側面側開口部との間に形成されるボール通路と、を備え、前記収容部に収容されている前記ボールを前記上面側開口部及び前記ボール通路を介して前記側面側開口部から排出可能に構成され、且つ、
前記側面側開口部と前記貫通孔の内周面とが対向し、前記側面側開口部が塞がれた閉鎖位置と、前記側面側開口部が、当該治具が前記所定の設置位置にあるときの前記ボール取付孔の高さ位置まで下げられたボール取付位置と、に上下動可能である。
【０００６】
この構成によれば、閉鎖位置では、側面側開口部が塞がれるため、蓋部材を通じてボールがケーシングから排出されることはなく、また、ボール取付位置では、ケーシングをボールチャック式マンドレルに対して所定の設置位置に設置したときにおいて、側面側開口部がボール取付孔の高さ位置にあるので、側面側開口部から排出されるボールがボール取付孔に投入されることになる。このように、この構成によれば、ケーシングをボールチャック式マンドレルに対して所定の設置位置に設置した上で、蓋部材を閉鎖位置とボール取付位置との間で切り替えるのみで、ボール取付孔にボールを取り付けることが可能となり、ボールチャック式マンドレルのボールの交換を容易に行うことができる。
【０００７】
以下、本発明に係るボールチャック式マンドレル用治具の好適な態様について説明する。但し、以下に記載する好適な態様例によって、本発明の範囲が限定される訳ではない。
【０００８】
１つの態様として、前記蓋部材は、高さ方向を回転軸として回転可能であり、前記蓋部材を回転させる操作部を備えると好適である。
【０００９】
この構成によれば、蓋部材をボール取付位置に切り替えた状態で蓋部材を周方向に回転させることができるので、ボールチャック式マンドレルの支持部において周方向に配置されたボール取付孔に対して順次側面側開口部が対向することになる。これにより、周方向に並ぶボール取付孔に対して順次側面側開口部からボールを投入することができる。このように、この構成によれば、ボールチャック式マンドレルのボールの交換を容易に行うことができる。
【００１０】
１つの態様として、前記側面側開口部は、少なくとも回転方向に対する後ろ側の縁部がテーパー状になっていると好適である。
【００１１】
つまり、ボール取付孔にボールが取り付けられた場合、ボール取付孔からボールの一部がはみ出していることがあり、この状態で蓋部材を回転させると、側面側開口部における回転方向に対する後ろ側の縁部にボールが干渉し、ボール取付孔と側面側開口部の縁部との間にボールが挟まれて、蓋部材の回転が阻害されるおそれがある。そこで、この構成では、ボールが干渉し得る回転方向に対する後ろ側の縁部をテーパー状にしてあるので、蓋部材の回転に伴いボールが側面側開口部の縁部に当接したとしても、テーパー状の縁部に沿ってボールがボール取付孔側に押し込まれることになる。これにより、ボール取付孔と側面側開口部の縁部との間にボールが挟まれて、蓋部材の回転が阻害されることを効果的に抑制することができる。
【００１２】
１つの態様として、前記ボール通路及び前記側面側開口部は、前記ボール取付位置にある前記蓋部材の前記側面側開口部といずれかの前記ボール取付孔とが対向する状態にあるときに、前記ボール通路と前記ボール取付孔とが面一となる形状で形成されていると好適である。
【００１３】
この構成によれば、側面側開口部から排出されるボールがボール取付孔に円滑に投入されることになる。
【００１４】
１つの態様として、前記蓋部材には、前記上面側開口部に前記ボールを案内する案内機構が設けられていると好適である。
【００１５】
この構成によれば、ケーシングの収容部に収容されているボールが上面側開口部に案内されるので、円滑にボールをボール取付孔側に送ることができる。
【００１６】
１つの態様として、前記収容部は前記貫通孔を中心とする略すり鉢状に形成されていると好適である。
【００１７】
この構成によれば、ケーシングの収容部に収容されているボールが貫通孔を中心として集められるので、貫通孔に設けられている蓋部材にボールを集めることができる。これにより、蓋部材を介して円滑にボールをボール取付孔側に送ることができる。
【００１８】
１つの態様として、ブロー成形機に用いるボールチャック式マンドレルを対象とすると好適である。
【００１９】
ボール交換を行う作業量が多いほど本発明に係るボールチャック式マンドレル用治具による作業量削減の効果をより得ることができるところ、ブロー成形機においてはボールチャック式マンドレルが多数設けられているので、この構成によれば、本発明に係るボールチャック式マンドレル用治具による作業量削減の効果を一層効果的に得ることができる。
【００２０】
１つの態様として、前記ケーシングは、前記収容部の下方に設けられ、前記所定の設置位置において当該治具を前記ボールチャック式マンドレルに取付可能な取付部を備えると好適である。
【００２１】
この構成によれば、取付部にボールチャック式マンドレルを取り付けるのみで治具を所定の設置位置において前記ボールチャック式マンドレルに取り付けることができ、所定の設置位置に治具を設置する手間を効果的に省くことができる。
【００２２】
本発明に係るボールチャック式マンドレル用治具セットは、
前記取付部を備えるボールチャック式マンドレル用治具と、
前記ボールチャック式マンドレルを取り付ける取付溝、及び、前記取付溝に取り付けられた前記ボールチャック式マンドレルに対して前記ボールチャック式マンドレル用治具を取り付けたときに前記取付部を支持する支持面を備える補助台と、を備える。
【００２３】
この構成によれば、補助台を用いることにより、ボールチャック式マンドレルに対する治具の取付をより簡易化できる。
【図面の簡単な説明】
【００２４】
【図１】ボールチャック式マンドレルの斜視図
【図２】ボールチャック式マンドレル用治具セットの説明図
【図３】ボールチャック式マンドレル用治具における蓋部材の拡大図
【図４】ボールチャック式マンドレル用治具における蓋部材の拡大図
【図５】ボールチャック式マンドレルへのボールチャック式マンドレル用治具の取付状態を示す断面図
【図６】蓋部材が閉鎖位置にあるときの状態を示す断面図
【図７】蓋部材がボール取付位置にあるときの状態を示す断面図
【図８】ボールチャック式マンドレルからボールチャック式マンドレル用治具を取り外すときの状態を示す断面図
【発明を実施するための形態】
【００２５】
本発明に係るボールチャック式マンドレル用治具及びボールチャック式マンドレル用治具セットの実施形態について、図面を参照して説明する。以下の説明においては、ボールチャック式マンドレル１を基準として、「周方向」、「径方向」、及び、「高さ方向」を定義する。即ち、「周方向」は略円筒状のボールチャック式マンドレル１の周囲を周回する方向を表し、「径方向」はボールチャック式マンドレル１の軸芯から放射状に延びる向きを表し、「高さ方向」はボールチャック式マンドレル１の軸芯方向を表す。
【００２６】
図１は、本実施形態に係るボールチャック式マンドレル用治具（以下、単に治具と称する）３を用いるボールチャック式マンドレル（以下、単にマンドレルと称する）１を示す。マンドレル１は、径方向に開孔するボール取付孔１２が周方向に複数設けられた円筒状の支持部１１を備える略円筒状の部材であり、例えばブロー成形機に用いられて、支持部１１の外周側にプリフォーム等の作業対象物が装着され、ボール取付孔１２に取り付けたボール１３に対して支持部の外周側に向かう圧力を加える等によりボール１３を作業対象物に押しつけて、作業対象物に加えられるボール１３の押圧力により作業対象物を把持するものである。
【００２７】
図２は、本実施形態に係る治具３と、治具３とマンドレル１とを設置するための補助台２と、を備えるボールチャック式マンドレル用治具セットを示す。まず、治具３について説明すると、図２に示すように、治具３は、ケーシング４と、ケーシング４にボルト６により装着される軸部材５と、を備える。また、補助台２は、図５に示すように、マンドレル１を取り付ける取付溝２１、及び、取付溝２１に取り付けられたマンドレル１に対して治具３を取り付けたときに治具３における取付部４３を支持する支持面２２を備えている。そして、本実施形態のボールチャック式マンドレル用治具セットによれば、補助台２の取付溝２１に取り付けられたマンドレル１に対してケーシング４の取付部４３をかぶせるようにして治具３を補助台２に取り付けることで、補助台２を土台としてボール１３の交換作業を安定して行うことができ、作業が円滑に行える。
【００２８】
次に、治具３について説明する。ケーシング４は、図５〜８に示すように、複数のボール１３を収容可能な収容部４１を備え、収容部４１の底部には、治具３が所定の設置位置（本実施形態では後述する取付部４３にマンドレル１が適切に取り付けられた位置）においてマンドレル１に対して設置されたときに円筒状の支持部１１と連通状態となる貫通孔４２が形成されている。また、ケーシング４は、収容部４１の下方に設けられ、所定の設置位置において治具３をマンドレル１に取付可能な取付部４３を備える（即ち、取付部４３にマンドレル１を取り付けることで、貫通孔４２と円筒状の支持部１１とが連通状態となる）。そして、収容部４１は貫通孔４２を中心とする略すり鉢状に形成されており、収容部４１に収容したボール１３が貫通孔４２に向かって集まるようになっている。
【００２９】
軸部材５は、高さ方向の上側から順に、軸部材５を操作するための操作部５１と、軸部材５をケーシング４に対して装着するための径方向に延びる板状の連結部５２と、貫通孔４２との間に形成される隙間が少なくともボール１３の径以下の幅となる状態で貫通孔４２を塞ぐ蓋部材５３と、を備える。つまり、蓋部材５３により、収容部４１に収容されているボール１３が少なくとも貫通孔４２と蓋部材５３との間の隙間から下方に落下しないようになっている。また、蓋部材５３は、操作部５１と一体となって動き、操作部５１の操作により、連結部５２とは独立して上下動可能で、且つ、軸部材５の延在方向（図２等では高さ方向）を回転軸Ｐとして連結部５２とは独立して回転可能になっている。これにより、連結部５２がケーシング４に固定されたとしても、蓋部材５３は操作部５１の操作により、ケーシング４に対して上下動したり、ケーシング４とは独立して回転軸Ｐまわりで回転可能になっている。また、操作部５１と連結部５２との間にはばね部材５４が設けられており、通常は蓋部材５３は上方側（後述する閉鎖位置）に位置し、操作部５１に対して下側の力を加えたときにのみ蓋部材５３が下方側（後述するボール取付位置）に移動するようになっている。
【００３０】
また、蓋部材５３は、図３，４に示すように、上面と側面とを切り欠いた溝５３１が形成されており、この溝５３１により、蓋部材５３は、上面に向かって開口する上面側開口部５３１ａと、側面に向かって開口する側面側開口部５３１ｂと、上面側開口部５３１ａと側面側開口部５３１ｂとの間に形成されるボール通路５３１ｃと、を備えたものとなっている。そして、上面側開口部５３１ａと側面側開口部５３１ｂとボール通路５３１ｃとはそれぞれボール１３一つ分の幅を有して形成されており、ボール１３の通り道として、収容部４１に収容されているボール１３を上面側開口部５３１ｂ及びボール通路５３１ｃを介して側面側開口部５３１ｂから排出可能に構成されている。
【００３１】
また、上記したように、蓋部材５３は、ケーシング４に対して独立して上下動可能になっているが、具体的には、側面側開口部５３１ｂと貫通孔４２の内周面とが対向し、貫通孔４２の内周面により側面側開口部５３１ｂが塞がれた閉鎖位置（図６）と、側面側開口部５３１ｂが、当該治具３が前記所定の設置位置にあるときのボール取付孔１２の高さ位置まで下げられたボール取付位置（図７）と、に上下動可能になっている。つまり、図６に示すように、閉鎖位置では、側面側開口部５３１ｂが塞がれるため、蓋部材５３を通じてボール１３が収容部４２から排出されることはない。また、図７に示すように、ボール取付位置では、側面側開口部５３１ｂがボール取付孔１２の高さ位置にあるので、側面側開口部５３１ｂから排出されるボール１３がボール取付孔１２に投入されることになる。このように、操作部５１を操作して蓋部材５３を閉鎖位置とボール取付位置との間で切り替えるのみで、ボール取付孔１２にボール１３を取り付けることが可能となる。なお、本実施形態では、閉鎖位置で蓋部材が適切に配置されるように、軸部材５にストッパー５５が設けられており、また、ボール取付位置で蓋部材が適切に配置されるように、蓋部材５３の寸法・形状が、円筒状のマンドレル１の内周面から径方向内側に突出する凸部１４をストッパーとして利用できるような寸法・形状となっている。
【００３２】
なお、ボール通路５３１ｃ及び側面側開口部５３１ｂは、ボール取付位置にある蓋部材５３の側面側開口部５３１ｂといずれかのボール取付孔１２とが対向する状態にあるときに、ボール通路５３１ｃとボール取付孔１２とが面一となる形状で形成されている。これにより、側面側開口部５３１ｂから排出されるボール１３がボール取付孔１２に円滑に投入されることになる。
【００３３】
そして、蓋部材５３には、上面側開口部５３１ａにボール１３を案内する案内機構としての傾斜部５３２が設けられている。具体的には、傾斜部５３２は上面側開口部５３１ａに向かって傾斜しており、この傾斜部５３２によりボール１３が上面側開口部５３１ａに案内される。これにより、収容部４１に収容されているボール１３が上面側開口部５３１ａに案内されるので、円滑にボール１３をボール取付孔１２側に送ることができる。ただし、案内機構の形態はこれに限定されず、上面側開口部５３１ａにボール１３を案内できるものであれば適宜変更可能であり、例えば、溝等により上面側開口部５３１ａに至る通路を形成するようにしてもよい。
【００３４】
また、蓋部材５３は、高さ方向を回転軸Ｐとして回転可能となっており、蓋部材５３をボール取付位置に切り替えた状態で操作部５１により蓋部材５３を周方向に回転させることで、マンドレル１の支持部１１に周方向に配置されたボール取付孔１２に対して順次側面側開口部５３１ｂが対向することになる。これにより、周方向に並ぶボール取付孔１２に対して順次側面側開口部５３１ｂからボール１３を投入することができる。
【００３５】
ただし、ボール取付孔１２にボール１３が取り付けられた場合、ボール取付孔１２からボール１３の一部がはみ出していることがあり、この状態で蓋部材５３を回転させると、側面側開口部５３１ｂにおける回転方向に対する後ろ側の縁部にボール１３が干渉し、ボール取付孔１２と側面側開口部５３１ｂの縁部との間にボール１３が挟まれて、蓋部材５３の回転が阻害されるおそれがある。そこで、本実施形態では、ボール１３が干渉し得る回転方向に対する後ろ側の縁部５３３をテーパー状にしてある。これにより、蓋部材５３の回転に伴いボールが側面側開口部５３１ｂの縁部５３３に当接したとしても、テーパー状の縁部５３３に沿ってボール１３がボール取付孔１２側に押し込まれることになる。これにより、ボール取付孔１２と側面側開口部５３１ｂの縁部５３３との間にボールが挟まれて、蓋部材の回転が阻害されることが抑制される。
【００３６】
次に、本実施形態における治具３を用いて、マンドレル１にボール１３を取り付ける工程について説明する。まず、図５に示すように、補助台２の取付溝２１に取り付けられたマンドレル１に対してケーシング４の取付部４３をかぶせるようにして治具３を補助台２に取り付ける。そして、治具３をマンドレル１に取り付けた後、図６に示すように、収容部４１にボールを入れる。このとき、ばね部材５４とストッパー５５との働きにより蓋部材５３は閉鎖位置にあり、貫通孔４２の内周面により側面側開口部５３１ｂが塞がれた状態にあるので、ボール１３の収容部４１からの流出が起こらないようになっている。その後、図７に示すように、操作部５１を操作して、蓋部材５３をボール取付位置まで下降させる。そうすると、自動的に側面側開口部５３１ｂからボール取付孔１２に向かってボールが投入され、ボール取付孔１２に対してボール１３が取り付けられる。そして、操作部５１によりゆっくりと蓋部材５３を回転させていけば、ボール取付孔１２に対して順次側面側開口部５３１ｂが対向することになり、ボール取付孔１２に対して順次側面側開口部５３１ｂからボール１３が投入される。操作部５１を一回転させると、マンドレル１の全てのボール取付孔１２に対してボール１３が取り付けられた状態となるので、その後は、図８に示すように、治具３をマンドレル１（補助台２）から取り外す。このとき、ばね部材５４とストッパー５５との働きにより蓋部材５３は自動的に閉鎖位置に戻るので、残りのボール１３が収容部４１から流出することもない。
【００３７】
〔その他の実施形態〕
最後に、本発明に係るボールチャック式マンドレル用治具及びボールチャック式マンドレル用治具セットのその他の実施形態について説明する。なお、以下のそれぞれの実施形態で開示される構成は、矛盾が生じない限り、他の実施形態で開示される構成と組み合わせて適用することも可能である。
【００３８】
（１）上記の実施形態では、蓋部材５３が軸部材５に設けられた構成を例に説明したが、本発明の実施形態はこれに限定されず、蓋部材５３を閉鎖位置とボール取付位置とで上下動可能であれば適宜変更可能である。
【００３９】
（２）上記の実施形態では、蓋部材５３に設けた溝５３１で上面側開口部５３１ａと側面側開口部５３１ｂとボール通路５３１ｃとを形成した構成を例に説明したが、本発明の実施形態はこれに限定されず、上面側開口部５３１ａと側面側開口部５３１ｂとをそれぞれ穴状に形成してもよく、適宜変更可能である。
【００４０】
なお、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００４１】
本発明は、例えばボールチャック式マンドレルへのボールの取付に利用することができる。
【符号の説明】
【００４２】
１        ボールチャック式マンドレル
１１      支持部
１２      ボール取付孔
１３      ボール
２        補助台
２１      取付溝
２２      支持面
３        ボールチャック式マンドレル用治具
４        ケーシング
４１      収容部
４２      貫通孔
４３      取付部
５１      操作部
５３      蓋部材
５３１ａ  上面側開口部
５３１ｂ  側面側開口部
５３１ｃ  ボール通路
５３２    傾斜部（案内機構）
５３３    回転方向に対する後ろ側の縁部
【図１】
2018051680.tif 000003
【図２】
2018051680.tif 000004
【図３】
2018051680.tif 000005
【図４】
2018051680.tif 000006
【図５】
2018051680.tif 000007
【図６】
2018051680.tif 000008
【図７】
2018051680.tif 000009
【図８】
2018051680.tif 000010